(57)【要約】本方法及びシステムは、望ましくない信号成分（１０２，１０３，１０４，１０５，２０２，２０４）を含むかもしれないメディアチャネルにおける時間制限された信号シーケンス（１０，２０，３０，４０，５０，６０，７０，８０，９０）を位置決め、記録することに関し、例えば、ラジオ放送における音楽を記録することに関する。前記信号をメモリに連続的に一次記憶する。ユーザは、所望のソース材料を識別する。この所望のソース材料から、あるセクションを探索鍵（１００，１１２，４００）としてとることができる。本装置は、探索鍵を自動的に選択してもよい。前記探索鍵の第２例（１１４，２００，５００，５１０，５２０）が検出された場合、その時間において前記探索鍵に接続された信号シーケンスを比較する。比較によって実質的に同一である信号シーケンスを、同じ所望のソース材料に属するとして識別する。次のステップは、上記手順の反復であり、結果として、初期共通セグメントより長く、より高い質のソース材料のセグメントを生じる。
2005522057.tif 000002
【特許請求の範囲】
【請求項１】
受信装置においてメディア信号を受信する方法において、
前記受信装置によって受信された望ましくない信号成分（１０２，１０３，１０４，１０５，２０２，２０４）を含むメディア信号（１０，２０，３０，４０，５０，６０，７０，８０，９０）を記憶するステップと、
前記メディア信号において第１探索鍵（１００，１１２，４００）を選択するステップと、
前記第１探索鍵と実質的に同一の第２探索鍵（１１４，２００，５００，５１０，５２０）に関して探索するステップと、
前記第１探索鍵の発生の前後に生じる前記メディア信号の第１セグメント（１０６，１２８，４０２，４０４，７０２）を、前記第２探索鍵の発生の前後に生じる第２セグメント（１２０，２０６，５０１）と比較するステップと、
前記第１セグメントと第２セグメントとの間の第１共通セグメント（１０６，２０６，７０２，７０３）を識別するステップとを含むことを特徴とする、受信装置においてメディア信号を受信する方法。
【請求項２】
請求項１に記載の受信装置においてメディア信号を受信する方法において、前記第１探索鍵と実質的に同一の第３探索鍵（１１６，６２０）を探索するステップと、
前記第３探索鍵の発生の前後に生じる前記メディア信号の第３セグメント（１２２，１２６，６０２）を、前記第１セグメント及び第２セグメントと比較するステップと、
前記第１セグメントと第３セグメントとの間の第２共通セグメント（７０２，７０５）と、前記第２セグメントと第３セグメントとの間の第３共通セグメント（１２０，１２２）とを識別するステップとをさらに含むことを特徴とする、受信装置においてメディア信号を受信する方法。
【請求項３】
請求項２に記載の受信装置においてメディア信号を受信する方法において、前記第１共通セグメントを前記第２共通セグメントにリンクし、メディア信号セグメント（１１０）を形成するステップをさらに含むことを特徴とする、受信装置においてメディア信号を受信する方法。
【請求項４】
請求項１に記載の受信装置においてメディア信号を受信する方法において、第１活性化メンバを使用することによって前記装置を手動的に活性化するステップをさらに含むことを特徴とする、受信装置においてメディア信号を受信する方法。
【請求項５】
請求項１に記載の受信装置においてメディア信号を受信する方法において、前記装置を自動的に活性化するステップをさらに含むことを特徴とする、受信装置においてメディア信号を受信する方法。
【請求項６】
請求項１に記載の受信装置においてメディア信号を受信する方法において、前記第１及び第２探索鍵を形成するステップが、
前記第１及び第２探索鍵を記憶するステップと、
前記第１及び第２探索鍵によって探索するステップとをさらに含むことを特徴とする、受信装置においてメディア信号を受信する方法。
【請求項７】
請求項１に記載の受信装置においてメディア信号を受信する方法において、前記第１探索鍵と第２探索鍵との間の類似性因子を計算するステップをさらに含むことを特徴とする、受信装置においてメディア信号を受信する方法。
【請求項８】
請求項１に記載の受信装置においてメディア信号を受信する方法において、前記装置が、標本探索鍵を形成するとき、前記メディア信号のｎ番目ごとの標本を使用し、
前記標本探索鍵によって探索する間、前記メディア信号の同じｎ番目ごとの標本を使用するステップと、
１以上の値を有するパラメータを与えるステップとを含むことを特徴とする、受信装置においてメディア信号を受信する方法。
【請求項９】
請求項１に記載の受信装置においてメディア信号を受信する方法において、前記メディア信号の信号ゲインを正規化するステップをさらに含むことを特徴とする、受信装置においてメディア信号を受信する方法。
【請求項１０】
請求項２に記載の受信装置においてメディア信号を受信する方法において、前記第１共通セグメント、第２共通セグメント及び第３共通セグメントの最長信号セグメントを選択するステップをさらに含むことを特徴とする、受信装置においてメディア信号を受信する方法。
【請求項１１】
請求項１に記載の受信装置においてメディア信号を受信する方法において、前記メディア信号又は前記メディア信号の表現のいくつかの複製を形成するステップと、前記メディア信号の複製又は表現を記憶するステップとをさらに含むことを特徴とする、受信装置においてメディア信号を受信する方法。
【請求項１２】
請求項１に記載の受信装置においてメディア信号を受信する方法において、識別された共通セグメントが受信された回数をカウントするステップをさらに含むことを特徴とする、受信装置においてメディア信号を受信する方法。
【請求項１３】
請求項１に記載の受信装置においてメディア信号を受信する方法において、前記第２探索鍵が前記第１探索鍵と実質的に同一であった回数をカウントするステップをさらに含むことを特徴とする、受信装置においてメディア信号を受信する方法。
【請求項１４】
請求項１に記載の受信装置においてメディア信号を受信する方法において、共通セグメントの第１リストを発生するステップをさらに含むことを特徴とする、受信装置においてメディア信号を受信する方法。
【請求項１５】
請求項１４に記載の受信装置においてメディア信号を受信する方法において、望ましくない共通セグメントを、前記装置における第２活性化メンバを活性化し、前記望ましくない共通セグメントを第２リストに保存することによって識別するステップをさらに含むことを特徴とする、受信装置においてメディア信号を受信する方法。
【請求項１６】
請求項１４に記載の受信装置においてメディア信号を受信する方法において、予め決定された時間周期より短い共通セグメントを選択し、前記より短い共通セグメントを第３リストに保存するステップをさらに含むことを特徴とする、受信装置においてメディア信号を受信する方法。
【請求項１７】
請求項１６に記載の受信装置においてメディア信号を受信する方法において、前記第３リストにおける共通セグメントを前記第１リストから除去するステップをさらに含むことを特徴とする、受信装置においてメディア信号を受信する方法。
【請求項１８】
請求項１５に記載の受信装置においてメディア信号を受信する方法において、前記第２リストにおける共通セグメントを前記第１リストから除去するステップをさらに含むことを特徴とする、受信装置においてメディア信号を受信する方法。
【請求項１９】
請求項１に記載の受信装置においてメディア信号を受信する方法において、第１の予め決定された時間周期より長い共通セグメントを選択し、第２の予め決定された時間周期より長い前記選択された共通セグメントを前記第１リストから除去するステップをさらに含むことを特徴とする、受信装置においてメディア信号を受信する方法。
【請求項２０】
請求項１に記載の受信装置においてメディア信号を受信する方法において、前記第１共通セグメントを受信する時間周期における前記受信装置の入力における第１信号強度を、前記第２共通セグメントを受信する時間周期における前記受信装置の入力における第２信号強度と比較するステップと、前記第１信号強度が前記第２信号強度より大きい場合前記第１セグメントを選択し、前記第２信号強度が前記第１信号強度より大きい場合前記第２セグメントを選択するステップとをさらに含むことを特徴とする、受信装置においてメディア信号を受信する方法。
【請求項２１】
請求項２に記載の受信装置においてメディア信号を受信する方法において、前記第１共通セグメントにおける前記第１セグメントと第２セグメントとの間の第１類似性を決定し、前記第２共通セグメントにおける前記第２セグメントと第３セグメントとの間の第２類似性を決定するステップと、
前記第１類似性が前記第２類似性と比べてより高い程度の類似性を示す場合前記第１共通セグメントを選択し、前記第２類似性が前記第１類似性と比べてより高い程度の類似性を示す場合前記第２共通セグメントを選択するステップとをさらに含むことを特徴とする、受信装置においてメディア信号を受信する方法。
【請求項２２】
請求項１に記載の受信装置においてメディア信号を受信する方法において、予め決定された時間周期に渡ってどれくらい頻繁に前記共通セグメントを識別したかに基づいて共通セグメントの第４リストを発生するステップをさらに含むことを特徴とする、受信装置においてメディア信号を受信する方法。
【請求項２３】
請求項１に記載の受信装置においてメディア信号を受信する方法において、前記共通セグメントが最後に識別されてからどのくらい長いかに基づいて共通セグメントの第５リストを発生するステップをさらに含むことを特徴とする、受信装置においてメディア信号を受信する方法。
【請求項２４】
請求項１に記載の受信装置においてメディア信号を受信する方法において、予め決定された時間が経ち、新たな共通セグメントが識別されなかった場合、メディアチャネルを変更するステップをさらに含むことを特徴とする、受信装置においてメディア信号を受信する方法。
【請求項２５】
請求項１に記載の受信装置においてメディア信号を受信する方法において、前記受信装置が最後にメディアチャネルを変更してから、予め決定された時間が経った場合、前記メディアチャネルを変更するステップをさらに含むことを特徴とする、受信装置においてメディア信号を受信する方法。
【請求項２６】
請求項１に記載の受信装置においてメディア信号を受信する方法において、特定の数の新たな共通セグメントが識別された場合、前記メディアチャネルを変更するステップをさらに含むことを特徴とする、受信装置においてメディア信号を受信する方法。
【請求項２７】
請求項１に記載の受信装置においてメディア信号を受信する方法において、前記第１探索鍵と実質的に同一の複数の探索鍵に関して探索するステップと、前記第１探索鍵が選択された信号セグメントと実質的に同一の第４信号セグメントを識別するステップとをさらに含むことを特徴とする、受信装置においてメディア信号を受信する方法。
【請求項２８】
請求項１に記載の受信装置においてメディア信号を受信する方法において、前記メディア信号の信号ゲインを正規化するステップをさらに具え、正規化係数を、選択されたセクションにおける標本の絶対値の和から得ることを特徴とする、受信装置においてメディア信号を受信する方法。
【発明の詳細な説明】
【技術分野】
【０００１】
先行出願
本願は、２００１年３月９日に出願された米国特許仮出願番号６０／２７４９０４号の一部継続出願である。
【０００２】
技術分野
本発明は、望ましくない信号構成成分を含むかもしれないメディアチャネルにおける時間制限された信号列を記録する方法及びシステムに関する。例えば、本発明を、ラジオ放送における音楽を記録するのに使用することができる。
【背景技術】
【０００３】
本発明の背景及び要約
ラジオ及びテレビジョン技術が最初に開発されてから、ラジオ及びテレビジョンによる音楽及び他の放送の双方を記録することが一般的になった。この例は、歌、映画及び音楽イベントである。記録は、特定の識別された放送を保存し、繰り返し楽しむことができるようにするのと、放送の時間においてのみの聞く／見るのに限定しなくてもよいようにするのとの双方のために行われる。例えばラジオ放送から音楽を記録する事に関するある問題は、大部分の場合において聴取者がどの歌が放送されるかを知らないことである。多くの場合において、歌は、初めから記録されるべき歌であると認識することができる前に、しばらくの間すでに演奏されてしまっている。これに加えて、放送時間を知らない場合、特定の歌のためにラジオに注意を払う、又は、映画を見るために注意を払うのに時間を消費する。
【０００４】
ＣＤ、ＤＶＤ及び他の記録媒体における音楽及び映画の価格が増すにつれて、これらのような娯楽を利用可能にする新たなあまり高価でない代わりの方法が開発されてきた。インターネットは、今、異なったファイルフォーマットにおける音楽を多かれ少なかれ合法又は違法に広めることにおいて大きな役割を有している。特に、音楽及び映画を複製し、例えばＭＰ３フォーマットにおいてインターネット上の一般大衆に利用可能にする。無料の音楽に関する興味は、例えば、無料音楽の利用可能性を与える検索エンジンに関するホームページの多数のユーザによって示され、この例は、ナプスタードットコムである。
【０００５】
音楽を聞く人の大きな割合は、彼らが聞いているアーティストの限定された知識を有し、彼らにとって常に知っているわけではないアーティストが混合したラジオ局のみを聞く。消費者は、特定のアーティストにおける音楽よりも特定のジャンルからの音楽により興味を持つことも、混合したグループ／アーティストに関する音楽ＣＤにおける興味が増加していることにおいて示されている。
【０００６】
特許出願ＤＥ１９８１０１１４号は、鍵と呼ばれる予め記憶された音楽の部分を探索し、選択されたラジオチャネルによって放送された音楽と合うものを探し、これらの鍵が放送された歌と一致した場合、選択された歌を自動的に記録する方法を記載している。探索及び記録すべき歌ごとに、前記歌の初めの部分の形態における開始鍵と、前記歌の終わりの部分の形態における終了鍵とをラジオにおけるメモリに記憶する。予め選択された鍵におけるこれらを、多数のラジオチャネルによって放送されたすべてと比較し、鍵が見つかった場合、間の部分を記録する。ポップ音楽、ロック音楽、クラシック音楽、又は他の形式の音楽のような特定の音楽カテゴリのマッチング及び記録に関するカテゴリ鍵を記憶することによって、特定の形式の音楽に関して探索することもできる。
【０００７】
音楽を記録するこの方法の１つの欠点は、例えばＣＤにおいて予め記憶された音楽の鍵と呼ばれる部分の形式において予め選択された音楽のみを、ほしい音楽を記録するためにラジオチャネルとマッチングさせることができることである。ラジオにおいて演奏されている任意の歌から１つ以上の鍵を抽出し、ラジオチャネルと連続的にマッチングし、その歌の完全な長さのバージョンを自動的に得ることができるようにすることは出来ない。他の欠点は、前記鍵の間のすべてを記録するため、望ましくない信号成分なしに完全に音楽を記録することができないことであり、これは、会話や、悪い放送によるノイズのような望ましくない信号成分が前記歌に含まれることを意味する。ラジオの話し手又はコマーシャルがラジオ放送における音楽を妨害することは一般的である。
【０００８】
本発明は、上述した問題を、望ましくない信号成分を含むメディアチャネルにおける所望のソース材料を探索し、同じソース材料が少なくとも２回、同じチャネル又は異なったチャネルのいずれかにおいて放送された場合記録する手順及び装置を与えることによって解決することを意図する。１つのソース材料を、歌、映画、又は、時間制限され、他の材料から分離していると考えられる他のものとすることができる。特に、必要なら、少なくとも１つのメディアチャンネルについて、信号を受信メンバにおけるメモリに連続的に一次記憶する。次のステップは、所望のソース材料を、前記受信メンバに接続された活性化メンバによって、所望のソース材料を識別及び選択することを含んでもよい。この所望のソース材料から、セクション又はセクションの表現を、探索鍵として得てもよい。前記装置は、本発明を実行する１つの変形例において、探索鍵を自動的に選択してもよい。次に、前記探索鍵の周囲に位置するメディア信号をメモリに記憶する。前記探索鍵を、他の記憶されたメディア信号、又は現在放送されているメディア信号と比較する。前記探索鍵の第２の例が検出された場合、そのときこれらの探索鍵に接続された信号セクションを比較する。比較によって実質的に同一であることがわかった信号列を、同じソース材料に属するとして識別する。第１信号セグメントと第２信号セグメントとの間の共通セグメントを識別することは、前記共通セグメントの始め及び終わりを見つけることを可能にし、したがって、前記ソース材料の全体又は一部の始め及び終わりを見つけることを可能にする。これらの共通セグメントを、後で使用するために記憶してもよい。
【０００９】
前記次のステップを、上述した探索鍵の検出と、メモリへの記憶と、メディア信号間の比較との反復としてもよく、同じソース材料から生じたものと識別された信号セグメントは、より以前に見つかった共通セグメントを補うことができる。これは、結果として、最初に得ることができるより長く、より完全で、より高品質のソース材料のセグメントを生じることができる。
【００１０】
前記反復を、停止に関するしきい値によって停止してもよく、これによって、十分な品質の許容し得る長い共通セグメントを識別し、後に演奏するために最終的なメモリ部分に記憶する。
【００１１】
本発明は、音楽及び映画のようなソース材料の記録を連続的に得るユニークな新たな方法をユーザに与える。本発明をラジオ放送に使用すると、本発明は、ラジオにおいて繰り返されたすべての歌を連続的に記録することができ、これらを後の使用のためにプレイリストにおいて保存することができる。これに加えて、前記装置のユーザが、彼が記録したい歌を聞いた場合、前記ユーザは、この歌の完全な長さの記録を自動的に得るためにボタンを押すだけでいい。本発明は、ラジオにおける音楽と、コマーシャルと、会話との間を区別することができる。
【００１２】
詳細な説明
以下は、望ましくない信号成分を含むメディアチャネルにおける所望のソース材料を探索し、同じソース材料が少なくとも２回、同じチャネル又は異なったチャネルのいずれかにおいて放送された場合記録する手順及び装置に続く。前記方法は、所望のソース材料と、会話、コマーシャル及びひずみのような望ましくない材料とを識別する。ソース材料の例を、音楽、映画、及び同様のものとすることができる。ラジオ放送におけるヒット曲の探索及び記録を、この用途における説明的な例として使用する。本発明はヒット曲の識別及び記録に限定されず、映画、音楽ビデオ及び他の種類のソース材料にも同様に使用してもよいことを理解すべきである。前記探索及び記録を、記録すべきソース材料から得られた探索鍵によって識別される信号セグメントの発見、比較及び記憶を含む反復手順によって行うことができる。
【００１３】
ユーザは、本発明による方法及び装置を使用することによって、任意の瞬時において、現在メディアチャネルによって受信メンバに放送されているソース材料を記録することを選択することができる。本発明を実行する１つの方法において、ユーザは、また、前記メディアチャネルから記録されたソース材料を自動的に有する。前記装置は、完全なソース材料又はソース材料の部分の始め及び終わりを自動的に識別し、これらのセクションを後に使用するために保存する。
【００１４】
ソース材料の一例は、ラジオチャネルによってラジオ受信機に放送されるヒット曲とすることができる。前記方法を使用することによって、聴取者は、しばらくして、手動の操作なしで、前記装置に記憶された前記ヒット曲の高品質の完全な長さのバージョンを得ることができる。ユーザは、前記歌の演奏中いつでも、単純にボタンを押すことによって、前記歌の完全なバージョンの記録を開始することができる。本発明の方法を使用することによって、前記装置は、ラジオ放送における音楽を自動的に抽出し、各々の歌を別々に記録することもできる。したがって、前記装置のユーザは、ラジオによって演奏された別々の歌のリストを連続的に更新することができる。本発明は、本発明のユーザに、音楽を得る少なくとも２つのユニークな方法を与える。一方の方法は、所望の歌を聴いているときにボタンを押すことであり、他方の方法は、前記装置に歌を全体において自動的に記録させ、これらをプレイリストにおいて保存することによるものである。
【００１５】
メディアチャネルによって、ラジオ、テレビジョン、ＰＣ、又は同様の装置のような受信機に送られるラジオ放送及びテレビ放送のようなメディア信号を、１つ以上のバッファメモリに一時的に記憶する。本発明の装置のバッファメモリにおいて、より古くに記憶されたメディア信号を、１つ又は多数のチャネルの最新に放送されたメディア信号に連続的に置き換えてもよい。前記メディア信号は、前記装置を活性化できるユーザにアクセス可能である。
【００１６】
例えば５日間の一次記憶調節された、この１つ以上のメモリ位置へのメディア信号の連続的なバッファリング及び一次記憶により、以下に詳細に説明するように、完全なソース材料の記録を通知することができる。前記記録は、ユーザが前記ソース材料の放送における記録レートを決定するときにも可能である。
【００１７】
前記ユーザ又は装置が、特定のソース材料を記録すべきであることを示す場合、この時点での前記メディア信号のセクション又はセクションの表現を探索鍵として選択してもよい。前記探索鍵を、完全なソース材料の派生物としてもよい。
【００１８】
前記装置は、前記探索鍵の周囲の記録されたメディア信号の十分に長いセクションを保存してもよく、ヒット曲に関して、十分な長さを、活性化の時間前後の５分とすることができる。この手順は、ユーザに、その時点において放送されたソース材料の全体の放送を与える前期記録機能の活性化を、ボタンを押す、ホイールをまわす、又は、ハンドル又は前記受信機における任意の他のメンバを活性化することによって行ってもよい。前記活性化を、前記装置によって自動的に行ってもよい。この自動化された活性化を、ランダムに又は周期的にトリガしてもよく、又は、前記放送のある認識可能な特徴によってトリガしてもよい。ラジオ放送における音楽の例において、これは、前記装置が前記ラジオにおいて演奏された音楽のリストを自動的に構成することを可能にする。音楽を、普通のＣＤプレイヤにおけるのとほぼ同様に記憶してもよく、ユーザに次の曲の後に１曲聞く可能性を与えてもよい。
【００１９】
前記活性化前後に記録されたセクションの必要な長さを、その形式のソース材料のありそうな長さを推定することによって決定することができる。ヒット曲に関して、前記活性化時の前後５分が、大部分の場合において十分であろう。メモリに記憶されたソース材料のメディア信号放送は、望ましくない信号成分がなくならないかもしれない。例えばラジオ放送において、少なくとも歌の始め又は終わりにおいて、音楽が会話で妨害されることはとても一般的である。ときどき、ディスクジョッキーは、歌の演奏の最中に中断するかもしれず、通常１つの音楽がラジオにおいて演奏されていても、その大きな部分は中断なく放送される。
【００２０】
他の問題は、ソース材料が記憶された記録において開始する場所と終了する場所とが未知であることである。本発明は、連続的なメディア信号においてソース材料の始め及び終り、例えば、連続的なラジオ放送において歌の始め及び終りをどのように探すかに対する解決法を提供する。前記装置が自動的に活性化する場合、ラジオにおいて繰り返された音楽を連続的に記録し、ラジオからの歌を自動的に保存できるようにしてもよい。
【００２１】
図１は、ソース材料のセクション又はそのセクションの表現の探索鍵１００を形成する手順を示す。メディア信号１０を、例えば、望ましくない信号成分１０２、１０４と、歌１２の前後の他の望ましくないセグメント１０３、１０５とを含んでもよい１つの音楽１２としてもよい。所望のソース材料１２を、図１において太線でマークする。セグメント１２は、始め１３及び終り１４を有する。同じソース材料、例えば同じ音楽の以前の放送及び未来の放送を検出する探索鍵１００を形成してもよい。前記検出を、前記探索鍵と、前記バッファメモリに記憶された、又はより後に放送されているメディア信号のセグメントとマッチング及び比較することによって行ってもよい。所望のソース材料の以前又は未来の放送の検出を、前記探索鍵の直接マッチングによって行ってもよい。前記ソース材料を含むかもしれない放送のセクションを識別し、次に、これらのセクションを１つ又は多数の方法において１つ又は多数のステップにおいてチェックし、これらが実際に所望のソース材料からのものであるかをテストする手順によって行ってもよい。好適には、メディア信号１０を所望のソース材料１２より長くし、全体的なソース材料１２が最後には記録されることを確実にする。
【００２２】
より後の比較に関するメディア信号の部分を保存する場合、メディア信号１０は、完全なソース材料を収容するのに十分な前記探索鍵前後の時間周期を延長すべきである。例として、大部分の一般的な音楽は５分未満であり、記録活性化はその音楽の演奏中の任意の時間において起こるため、活性化の時間の前５分及び後５分を保存し、音楽全体が記録されるのを確実にすることが望ましい。この方法において、メディア信号１０を約１０分としてもよい。もちろん、望むように任意の時間周期を選択することができる。
【００２３】
探索鍵１００の第２の実質的に同一の例が検出された場合、この時間において前記探索鍵に接続された信号セクションを比較する。比較によってこれら自身の中で実施的に同一であることが見つかった信号セグメントを、同じソース材料１２から生じたものとして識別する。第１信号セグメントと第２信号セグメントとの間で共通セグメントを識別することは、共通部分の始め及び終わりを見つけることを可能にし、したがって、前記ソース材料の全体又は一部の始め及び終わりを見つけることを可能にする。
【００２４】
以下に説明するように、本発明の反復プロセスは、劣化したセグメント１０２、１０４を、これらのセグメントを、過去において放送されたか未来において放送される同じソース材料の他の放送から複製された劣化されていないきれいなセグメントと漸次に置き換えることによって最小にする。本発明の重要な仮定は、所望のソース材料が、同じソース材料のすべての放送に関して実質的に同一であるということであり、ある歌の受信が、ラジオに送信されるいつでも同一に近いということである。会話、コマーシャル及びひずみのような望ましくない信号セグメントは、通常は、同じ歌が演奏されるたびごとに異なる。
【００２５】
図２は、探索鍵１００と、この探索鍵と同一又は同一に近い第２の例２００とのマッチングを使用することによって、セクション１０と実質的に同一な部分を含み、したがって、同じソース材料から生じたと考えられるメディア信号２０の第２セクションを検出する手順を示す。メディア信号２０は、所望のソース材料２２の始めにおいて、始め２４及び終り２６を有する、より短い劣化したセグメント２０２を有することに注意すべきである。しかしながら、信号２０は、信号１０のセグメント１０４と比べて比較的長い劣化いＳ多セグメント２０４を有する。同一である前記２つのメディア信号の部分は、１０７と１０９との間の時間であり、これを共通セグメントとして保存してもよい。本発明の反復プロセスのある目的は、比較的短いひずんだセグメント２０２を利用することであるが、比較的長いセグメント２０４を無視する。
【００２６】
好適には、上述したようにメディア信号を、前記バッファメモリに連続的な方式で一次記憶する。探索鍵１００がこの探索鍵の第２の例と同一又は同一に近いことを認識することによって検出されたメディア信号２０を、おそらく他の方法で、前記テストを前記探索鍵の範囲を超えて拡張することによって、類似性に関してさらにテストする。これらが同じソース材料から生じたことの十分な証拠が存在する場合、セグメント２０をメモリに複製するか、その始め及び終わりの点を前記メモリに記憶してもよい。これを、と、探索鍵の第２の例２００の後の十分に長い信号セグメントとを複製することによって行ってもよい。これは、他の処理に使用して所望のソース材料の複製を得るのに使用することができる信号セクションが、前記バッファメモリが新たなメディア信号で再び満たされる場合に消滅するのを防ぐ。本発明の一実施例において、前記メディア信号をメモリ間で動かす代わりに、前記装置は、前記メディア信号をその元の場所に上書きはせずに予め決められた時間保存してもよい。
【００２７】
前記探索鍵の確認及び前記メディア信号の保存の結果として、２つのメディア信号、すなわちメディア信号１０及び２０が記憶される。メディア信号２０を、始めに記憶したメディア信号１０と比較する。２つのメディア信号１０及び２０の同一又は同一に近い部分を、これらは望ましくない信号成分がなく、したがって前記所望のソース信号の少なくとも一部を表すかのように取り扱う。この部分を、例えば、どのような妨害する会話又はコマーシャルもない所望の歌の一部又は全体としてもよい。この場合において、信号１０のセグメント１０６は、信号２０のセグメント２０６と同一である。前記共通セグメントを、より後の使用、例えば聞くために保存してもよい。メディア信号１０、２０がマッチングしないすなわち同一でないセグメント１０６、２０６の前後のセグメントを、望ましくない信号成分を表すとする。特に、所望のソース材料１２の全体が最終的なメモリに記憶されるか、停止に関するしきい値に達するまで、将来の反復によって、セグメント１０６をメモリに記憶し、加えてもよい。この方法において、ソース材料１２のセグメント１０６は演奏に利用可能になり、セグメント１０６は、識別された終り１０９及び識別された始め１０７を有する。
【００２８】
前記メディア信号の同一又は同一に近い部分のみを識別するため、所望のソース材料１２のより短いセクション１０６のみが、セクション１０６を保存する最初の時に識別されるであろう。ユーザが幸運ならば、彼又は彼女は、前記探索鍵の第２の例が見つかった最初のときに、ソース材料全体、例えば歌全体を得ることができる。
【００２９】
本発明を実行する１つのより簡単な方法において、前記装置は、前記プロセスを通じて１回のみ働く。前記探索鍵を具える最初に見つかった共通セグメントを使用し、前記ソース材料の始めと終りを識別する。このプロセスを、図１及び２において上記で説明した。本発明のより簡単なバージョンは、前記装置のユーザに、前記最初に識別された共通セグメントを最終的なバージョンとして与えるだけであり、したがって、ユーザに、前記ソース材料全体を見つけるより少ないチャンスを与える。
【００３０】
前記ソース材料全体、例えば、ラジオにおける歌１２の全体を見つけるチャンスを増加するために、上述した手順を多数繰り返す。したがって、メディア信号を検出するステップと、検出されたメディア信号をメモリに記憶するステップと、前記メディア信号を比較し、一致する共通セグメントを見つけるステップとを続けてもよい。１つの目的は、新たな一致するセクションを前記最終メモリに記憶された信号セグメント１０６に加えることによって、以前に確認された信号セグメント１０６を補う同一のメディア信号を対にすることによって、より多くの共通セグメントを検出することである。この反復は、前記最終メモリに記憶されたより長い共通セグメントを導く。
【００３１】
図３は、ほとんど完全で劣化していないソース材料１１０を、メディア信号７０の探索鍵１１２と、メディア信号８０のセグメント７０３における探索鍵１１４と、メディア信号９０のセグメント７０５における探索鍵１１６とをマッチングする反復プロセスによって成長させる方法を説明する。メディア信号７０は、始め７０４及び終り７０６を有する所望のソース材料７０２を含む。メディア信号７０、８０及び９０は同じソース材料を含み、探索鍵１１２、１１４及び１１６は同一又は同一に近いことに注意すべきである。信号８０のセクション１２０は信号９０のセクション１２２と同一であるため、セクション１１８を前記最終メモリに記憶された共通セグメントに加えてもよい。同様に、メディア信号９０のセクション１２６はメディア信号７０のセクション１２８と同一であるため、セクション１２４を前記最終メモリに記憶された共通セグメントに加えてもよい。開始点１３０及び終了点１３２が前記共通セグメントの始め及び終りを表す場合、セグメント１１０はソース材料７０２全体をほとんどカバーする。欠けているセグメントは、始め７０４におけるセグメント１３３と、信号セグメント７０２の終り７０６だけである。前記手順は、前記ソース材料全体が記録されるまで、この方法における反復を続けてもよい。
【００３２】
前記比較及び加える手順を含む前記反復探索手順が永久に進むのを避けるために、停止に関するしきい値を設定してもよい。このしきい値を、前記反復探索手順に関する予め決められた数の反復ステップとすることができる。他の代案は、前記プロセスの停止に関するメディア信号の既知で確認可能な特性を使用することであってもよい。前記反復の停止を、多数の加えられた共通セグメントの長さがある値より短くなった場合にトリガしてもよく、この状態は、完全なソース材料を見つけるためにこれ以上はないことを示す。前記反復を、同一のソース材料の確認が特定の数であるにもかかわらず、追加の共通セグメントが加えられない場合、停止するように設定してもよい。
【００３３】
共通セグメントが最初に見つかった場合、前記共通セグメントを最終メモリに記憶し、ユーザによって演奏される準備ができる。これは、ユーザに、前記共通セグメントを反復可能に楽しむ、例えば、音楽再生装置を前記最終メモリに接続することによって歌を反復可能に楽しむオプションを与える。各々の歌は、時間と共に、該歌の新たな部分を加えられるかもしれず、したがって、聴取者に、所望の音楽のより長くより完全なバージョンを与える。
【００３４】
本発明を実行する他のより簡単な方法において、前記装置は、図１及び２に示すような上述した反復プロセスを通じて働き、図３におけるような上述した反復プロセスを通じて働くが、前記共通セグメントを一緒に加える代わりに、前記装置は、前記ソース材料のできるだけ長い確認された部分である最長共通セグメントをのみを最終バージョンとして使用する。本発明のこのより簡単なバージョンは、前記装置のユーザに、前記ソース材料全体を見つけるより少ないチャンスを与えるが、この装置は開発するのがより簡単である。
【００３５】
図４は、メディア信号３０における多数の探索鍵３００、３１０、３２０を形成する一例を示す。この方法は、前記メディア信号が多量の望ましくない信号成分を含む場合に特に有用である。本方法は、探索鍵３００、３１０、３２０の少なくとも１つが望ましくない信号成分を含まないチャンスを増大させる。
【００３６】
図示した例において、探索鍵３１０のみが望ましくない信号成分を含まず、後に、ソース材料３１が前記メモリにおいて見つかるか再放送された場合、同一の探索鍵とマッチすることができる。探索鍵３００及び３２０は、望ましくない信号成分がより後の放送において正確に同じように繰り返されないと思われるため、後のメディア信号においてマッチしないと思われる。前記手順を、同一信号セグメントの追加の対を検出し、これらの追加の共通セグメントを前記メモリにおける共通セグメントに加えることによって、前記確認された共通セグメントを補うように設計してもよい。
【００３７】
この方法は、メモリにおける又は次に放送される所望のソース材料の劣化していない部分を見つけ、確認するチャンスを改善する。これはまた、所望のソース材料３１において許容し得る長さを見つけ、得るプロセスをスピードアップする。前記手順全体を、上述したような反復ステップにおいて繰り返してもよい。
【００３８】
図５は、メディア信号４０の最初の探索鍵４００のマッチング及び検出後に、メディア信号５０のセグメント５０１における多数の探索鍵５００、５１０、５２０を形成する手順を示す。前記手順は、３つの探索鍵５１０、５００及び５２０とメディア信号６０との比較に続く。探索鍵５２０は、探索鍵６２０と実質的に同一であり、したがって、銭セグメント間の一致を示す。上述したように、メディア信号４０、５０、６０は、同じソース材料を含むが、これら３つの異なったメディア信号は、前記ソース材料を妨害する会話及びコマーシャルのような異なった量の望ましくない信号成分を有する。これは、同じソース材料の少なくとも一部を含む３つの記憶されたバージョン４０、５０、６０を比較する機会を与える。探索鍵４００と探索鍵５００とがマッチするため、第１共通セグメント４０２を前記最終的なメモリに保存してもよい。上記の反復は、他の共通セグメントが前記探索鍵を使用することによって見つかるにつれ、共通セグメント４０２の前後の共通セグメントを加えることができる。
【００３９】
探索鍵４００と探索鍵５００とがマッチするため、メディア信号４０を、メディア信号５０と同じソース材料から少なくとも部分的に生じたと推定する。違いは、双方の信号が異なった量の望ましくない信号成分を有することである。重要な特徴は、探索鍵５２０と探索鍵６２０とがマッチするため、メディア信号４０、５０はメディア信号６０と共通の部分を有すると推定し、これらは同じソース材料から生じたと推定することである。これは、メディア信号６０の信号セグメント６０２は、メディア信号４０のセグメント４０４と実質的に同一であり、この共通セグメントを前記最終メモリにおける共通セグメントに加えることができることを意味する。前記手順全体を、上述したように反復ステップにおいて繰り返してもよい。
【００４０】
本発明の反復方法のある目的は、前記最終メモリにおいて、例えば会話、コマーシャル、ひずみ等のどのような望ましくない信号成分も持たない前記ソース材料の完全な長さのバージョンを獲得することである。
【００４１】
本発明の代わりの実施例において、本方法は、ラジオにおけるヒット曲のようなソース材料を、前記ソース材料の選択されたセクション又はこのセクションの表現である探索鍵の助けによって確認する。例えば、前記探索鍵は、所望のヒット曲のきわめて短いセクション又はこのセクションの表現を表してもよい。前記所望のソース材料を、前記探索鍵とメディア信号との間の類似点を確認することによって認識してもよい。
【００４２】
前記探索鍵とメディア信号のセクションとの間の類似性の程度を決定するのに使用することができる多数の可能な方法が存在する。例えば、あるメディア信号のあるセクションが、同じメディア信号の他のセクションと巻かれている相関を使用し、含まれるこれら２つのセクション間の類似性の程度を表す値を得てもよい。この値がより大きくなると、より高い程度の類似性が存在し、したがって、これらが同じソース材料から生じた可能性がより高くなる。
【００４３】
一般に、調査中のセクションが正確に前記探索鍵を得たのと同じソース材料の同じ時間周期からのものである正確なマッチは、周囲の誤った時間周期よりマッチにおいてきわめて高い値を有するより明瞭なパターンを示すことができ、前記相関プロセスにおいて含まれるセクションがより長くなる。したがって、前記相関プロセスにおいて、より長いセクションを使用するのが有利である。しかし、より長いセクションは、より大きい処理パワーを要求し、したがって、どれだけ長いセクションを使用できるかの実際的な制限が存在する。
【００４４】
他の方法を使用し、メディア信号のセクション間の類似性を決定することができる。キャンセレーションと呼ばれる方法において、前記探索鍵は、相関に関しては、メディア信号のあるセクションであり、これをメディア信号の他のセクションと比較する。類似性に関して比較すべき前記探索鍵及びメディア信号のセクションを、最初にゲインにおいて正規化し、これらがほぼ同じゲインを有するようにする。次に、あるセクションからの標本を他のセクションからの標本から減じ、これらの差の絶対値を合計し、最終的なキャンセレーション値を得る。前記セクションが正確に同一の場合、結果として生じる値はゼロである。実際の使用において、正確なマッチはきわめて低いキャンセレーション値を示す。前記セクションが同一の場合、前記セクションは互いにキャンセルし、前記セクションがきわめて類似する場合、前記セクションは互いにほぼキャンセルするため、本方法をキャンセレーションと呼ぶ。
【００４５】
キャンセレーションに関しても、相関に関するように、前記プロセスにおいて含まれるセクションがより長くなると、通常、正確なマッチはより明瞭になる。
【００４６】
上述した双方の方法、相関及びキャンセレーションは、前記プロセスにおけるより長いセクションの使用によって利益を得る。例えば処理能力の制限による、使用できるセクションの長さの実際的な制限があるため、相関及びキャンセレーション双方の変形バージョンを得た。これらの方法は、単純に、前記プロセスにおけるすべての標本は含まないが、代わりに、Ｎ番目ごとの標本を取ることから成り、Ｎを１以上の任意の数とすることができる。Ｎを固定された値とする必要はなく、ある処理値の計算内のステップ間で変化してもよい。前記メディア信号のＮ番目ごとの標本を含む方法を、前記探索鍵とメディア信号のあるセクションとの間の類似性を認識するほとんどの他の方法において使用することができる。前記ステップシーケンスを、処理値間で同じにする必要はない。各々の処理値の計算内で調査中の前記探索鍵及びセクションにおいて同じステップを使用すべきである。これらの新たに考案された方法を、変形相関及び変形キャンセレーションと名付けた。
【００４７】
これらの変形方法は、マッチに関して探索する場合と、ソース材料の始め及び終わりに関して探索する場合、きわめて明瞭な結果を与えることができるが、前記プロセスにおいてすべての標本を使用しないことによるペナルティは、正確なマッチから離れた平均ノイズレベルが、すべての標本を含む場合より高くなくかもしれない。
【００４８】
本発明を実行するある方法において、前記装置は、異なったゲインで送信されたメディア信号を比較する問題を、前記比較プロセスの一部としてこれらの個々のゲインを正規化することによって解決する。ゲインの正規化を、前記メディア信号を記録するプロセスの一部として行ってもよい。前記探索鍵とメディア信号との間の類似性の程度を決定するのに使用した比較方法が、前記相関方法、又は、結果が信号チェーンにおけるゲインに依存する任意の他の方法である場合、ゲイン変化を補償する方法を用い、測定を正規化することができる。オーディオの場合において、しばしばラジオ局によって使用される種類のオーディオコンプレッサを使用し、送信機のオーバロードを防ぎ、同時に音をできるだけ大きくするような、いくつかの可能な方法が存在する。
【００４９】
多くの利点を有する本発明のある特定の方法は、計算された類似性値を、興味あるセクションにおける標本の絶対値で正規化することである。これは、例えば、ディスクジョッキーがミキシングコンソールにおける異なったゲイン設定において２つの異なったときに同じ歌を演奏する場合、可変信号ゲインの影響を効果的にキャンセルすることができる。
【００５０】
相関又は変形相関を、探索鍵セクションとメディア信号のセクションとの間の類似性の程度を決定する方法として使用する場合、正確なマッチにおける相関値にどれくらいの高さを期待すべきなのかについて前もって知るのに使用することができる。同じソース材料から生じたものであるためにほぼ同一のメディア信号を再調査するため、正確なマッチにおいて期待されるセクションがどのくらい類似して見えるかを前もって知ることができる。正確なマッチは、前記探索鍵セクションときわめて類似していなければならない。したがって、正確なマッチにおいて期待される相関値を、前記探索鍵セクションを単にそれ自身と相関させ、結果を、前記探索鍵セクションの移動平均の助けによって正規化することによって、前もって計算することができる。この値を、恣意的にＴ値と呼んだ。可能な正確なマッチの結果とすることができる相関値を探すとき、１つの探索基準を、前記相関値が期待されるＴ値に近いこととすることができる。
【００５１】
Ｔ値に関する他の使用は、同じソース材料の記録の品質を決定しようとする場合である。同じソース材料から生じたことが決定されたいくつかの信号セグメントが見つかった場合、Ｔ値を使用し、ノイズ、干渉及びひずみに関するこれらの相対的な品質についての何かを示すことができる。正確なマッチにおけるメディア信号に関するＴ値を計算するだけの代わりに、セクションの一部又は全体に渡る連続的なＴ値を計算する。次に、このセクションを、同じソース材料からの他のセクションと相関させ、結果として生じる相関値及び対応するＴ値を比較する。ここで、比較すべき信号セグメントを時間において整列し、ゲインにおいて正規化すべきことと、Ｔ値の計算における標本の数を相関における数と同じにすべきことに注意されたい。前記セクションが同一の場合、より以前に計算されたＴ値が、後に計算された相関値と正確に同じはずである。期待されるＴ値からのどのような逸脱も、双方のセクションが同じソース材料から生じたと推定されるため、ある種の望まれない信号の変更によるものであるかもしれない。期待されるＴ値からの逸脱が大きくなると、前記セクション間の違いがより大きくなると考えられる。前記相関値がＴ値に近い場合、同様のランダムな妨害が双方のセクションを汚染したとは考えられないため、２つのセクションは高品質なものであると推定することもできる。
【００５２】
多くのセクションを比較し、これらの相対的な質の表示を得ることができる。３つのセクションに関して、セクション１と２を比較し、次に、１と２、最後に２と３を比較してもよい。メディア信号のセクションの質を決定するこの方法を使用し、あるセクションを十分良好であると認める場合に関する基準を得ることができ、類似の質のセクションを選択するのにも使用することができる。後者は、同じソース材料の異なった記録からの断片を一緒に結合し、前記ソース材料のより長い連続的なセクションをする場合、重要であるかもしれない。前記結合されたより長いセクションを演奏する場合、ユーザが質における飛躍に急に気づくのを妨害することができる。
【００５３】
キャンセレーションを、メディア信号のセクション間の類似性を決定する方法として使用する場合、マッチの期待値はゼロに近づくかもしれない。類似性の程度は、キャンセレーション値がどのくらいゼロから離れているかを決定する。キャンセレーションを使用し、セクションが類似している場合を決定することができ、前記方法を使用し、同じソース材料から生じたと決定された場合、セクション間の相対的質を決定することもできる。同じソース材料の同じ部分からの２つ以上のセクションはノイズ及び他の妨害によって汚染され、より多くのキャンセレーション値は、前記セクションがゲインにおいて正規化され、時間において正確に整列されているが、ゼロから逸脱すると期待される。
【００５４】
ある代案において、メディア信号のセクションの探索及びマッチングを、利用可能なデータ及び／又はこのデータの放送のサブセットにおいてのみ行う。これを、多くの方法において行うことができる。いずれも前記装置は、探索鍵を形成する場合、前記材料を構築する標本の小片のみを使用する。他の方法は、前記装置が前記メディア信号を２つ以上の別個のファイル、１つ以上の探索ファイルと、より後の使用、例えば演奏のための１つ以上のファイルとに記録することである。探索ファイルを、より狭いバンド幅の前記メディア信号の記録とすることができ、又は、特定の周波数間隔のみを含むファイルとしてもよい。探索ファイルを、記録されたメディア信号の表現としてもよい。前記探索ファイルを使用し、前記探索鍵を形成することができ、前記探索鍵の第２の出来事に関して探索することもできる。前記探索ファイルを使用し、前記ソース材料の始めと終りを見つけることもできる。ラジオに放送された音楽に関して、探索ファイルを、より低い標本レート、例えば６ｋｚにおける前記メディア信号の別個の記録とすることができる。この探索ファイルを使用し、前記探索鍵を形成すると共に前記探索鍵の他の出来事を見つけることができ、前記ソース材料の始めと終りを見つけることもできる。この開始及び終了情報を使用し、完全な質の記録における前記ソース材料の開始及び終了を見つけることができる。別個の探索ファイルを使用するある理由は、必要な処理パワーを減らすことである。
【００５５】
本発明を実行する他の方法において、前記装置は１つの探索鍵を形成し、ハードドライブに記憶されたファイルにおいてこの探索鍵を探す。プロセッサ速度が十分に速い場合にのみ、前記装置の速度を制限する要因は、前記ハードドライブにおける記憶されたメディア信号にアクセスする速度である。この下側は、前記ハードドライブに連続的にアクセスしなければならず、したがって連続的にパワーを使用することである。本発明を実行する他の方法において、前記装置は、前記メディア信号が放送されるのにつれて、複数の探索鍵を連続的に形成し、多くの探索鍵に関して同時に探索してもよい。前記探索を、前記装置のＲＡＭメモリにおいて完全に行うことができるため、これは、最終的なハードドライブからの情報にアクセスする必要性を減少し、したがって、前記装置に関するパワーを節約する。例えば、１時間の音楽又は探索ファイルをＲＡＭメモリにハードドライブ又は放送からロードし、前記ＲＡＭメモリを多くの探索鍵に関して探索することによって、前記ハードドライブは休息を与えられ、前記装置は、バッテリパワーを節約することができ、より速く差動することもできる。
【００５６】
本発明を実行する他の方法において、前記装置は、階層的方法における信号セクションの探索及びマッチングと、多数の可能なマッチの最初の選択と、より正確な方法を使用して前記可能なマッチから正確なマッチを見つけることとを行う。例えば、これを行うある方法は、前記探索鍵とメディア信号との間各々相関を最初に計算し、前記探索鍵と十分高い相関を有する前記メディア信号のセクションを識別し、その後、他のより正確な方法において前記識別されたセクションをテストすることであってもよい。この他の方法は、より大きい探索鍵、又は、ある完全に異なる方法を使用することであってもよい。
【００５７】
ソース材料の複製を探すのに使用する探索鍵を、異なった方法において構成することができる。本発明を実行するある方法において、使用する探索鍵を、前記メディア信号の０．１−２秒長のセクションのように、短くする。本発明を実行する他の方法において、前記探索鍵を、例えば数学的な変換をこのセクションに用いることによるか、いくつかの記述する特徴を抽出することによる、セクションの表現としてもよい。本発明を実行する他の方法において、前記探索鍵をきわめてより長くし、圧縮との組み合わせにおいて、又は、プログラム又はアルゴリズムを使用することによって使用し、例えば、メディア信号を記述することができる。異なった形式の探索鍵を組み合わせにおいて使用し、所望のメディア信号をよりよく探すこともできる。
【００５８】
標本、圧縮プロセスにおけるメディア信号の瞬時の振幅値を使用するだけの代わりに、音楽にインデックスを付け、短い信号セグメントを記憶きるようにしてもよく、前記セグメントは他の音楽からのセグメントを識別するいくつかの特徴を有する。例えば、ある歌は、ユニークなドラムセグメントを有するかもしれず、このドラムセグメントの一部のみを記憶し、同じドラムセグメントが探し出されるまで、他のメディア信号と比較してもよい。このドラムセグメントを再び演奏された任意の時に、前記セグメントを、インデックスをつけられたメモリに記憶し、メモリ全体を探す必要がなく、前記メモリのインデックスを付けられた部分のみを探せばよいようにする。前記ドラムセグメントを、必要な記憶要求を減少するか、マッチングを容易にする方法において、数学的アルゴリズムによって変換する。
【００５９】
本発明を実行する他の方法において、探索するステップと、記憶された探索鍵を、現在のメディア信号又は記録された放送と比較するステップとを、特定の頻度で連続的に探索することによって行ってもよい。例えば、前記探索鍵は、周波数レジスタ全体を含まなくてもよく、特定の予め決定された周波数のみを含んでもよい。ラジオ放送における音楽を使用する場合、前記探索鍵は、周波数３０−３１Ｈｚ及び１３０００−１３１００Ｈｚのみを含んでもよい。３０−３１Ｈｚ信号を使用し、特定の時間間隔における特定の長さの歌における同一のドラム音を識別することができる。同様に１３００−１３１００Ｈｚ信号を使用し、特定の時間間隔及び長さにおける同一のギター音を識別することができる。したがって前記探索手順を、ラジオ放送の３０−３１Ｈｚ信号に関してのみ探索することによって行ってもよい。３０−３１Ｈｚ周波数におけるマッチング特徴がメモリにおいて見つかった場合、１３０００−１３１００Ｈｚ周波数を探索し、比較する。前記メディア信号が１３０００−１３１００Ｈｚ周波数において同じギター音を有する場合、同じメディア信号であると推定する。
【００６０】
周波数レジスタの特定の部分のみを比較することは、結果として、周波数範囲全体を探索するのに比べてよりよい容量の使い方を生じる。また、ソース材料の始め及び終わりを、少ない周波数を比較することによって見つけることができる。比較する信号セグメントを、前記信号セグメントの比較する周波数が実質的に同一である限り、同一であるとみなす。
【００６１】
前記探索プロセスは、メディア信号に埋め込まれた、放送されたソース材料を識別するコードを探索してもよい。例えば、ディジタルラジオ放送において、現在演奏されている音楽を識別するコードを送信する可能性がある。いくつかのＣＤは、トラックごとにアーティスト及び歌を識別するコードを含む。このコード化された情報を、歌の複製を見つける手順によって利用し、その始め及び終りの位置を突き止め、望ましくない信号成分を除去してもよい。
【００６２】
すでに記録されたラジオ放送においてある歌を見つけるように、ソース材料を素早く見つけることができるようにするために、受信装置のメモリ容量を、少なくとも２−３時間の記憶された放送としなければならない。標準的なＭＰ３フォーマットにおける音楽に関して、これは、約１００−２００ＭＢの記憶された音楽である。前記メモリを、例えば、きわめてより長い時間周期に渡る多くの異なったメディアチャネルを含むことができるように、きわめてより大きくすることもできる。前記メモリは、前記装置が見つけたソース材料の以前の記録を含むこともできる。
【００６３】
前記探索プロセスを、ユーザが記録したソース材料に気づいたときに彼によって、又は、前記装置自身によってトリガしてもよい。前記装置が手動でトリガされた探索要求によって使用されていない場合、探索鍵を自動的に形成することができ、探索を行い、メモリに記憶された共通セグメントライブラリ又はリストを構築することができる。前記メディア信号において繰り返されたこれらの共通セグメントのリストを、特徴探索、又は、ユーザによるより後の演奏に使用することができる。この自動探索は、トップ４０ラジオ局のように、ラジオ局が制限された数の歌しか演奏しない場合、特に有用である。種々様々な音楽を有する局に関して、探索し、繰り返される歌を見つける必要があるが、歌が繰り返されるとすぐに、前記装置はそれを認識し、保存する。ユーザが歌を記録したい場合、前記装置は、長い時間周期中にいくつかの反復をすでに行っているかもしれず、前記反復のすべてに関して完了するのを待つ必要なく、前記歌全体が聴取者に利用可能になるかもしれない。すでに識別され保存されたソース材料の中から前記探索プロセスを開始することによって、所望のソース材料が前記装置によってすでにより以前に識別され、保存されているかもしれないため、探索をきわめてより速くすることができる。
【００６４】
以下の本発明のあるバージョンにおいて、前記装置は前記探索鍵をテストし、使用するのに十分な情報を含むことを確かめる。例えば、前記装置自身が探索鍵を自動的に発生した場合、放送の無音部分の最中である場合、どのようなよい使用でもない。これは、前記探索要求が手動でトリガされる場合にも起こるかもしれない。前記探索鍵を得る方法をわずかに変えることによって、前記探索鍵をできるだけユニークに形成することができる。これは、前記探索鍵のマッチを見つけるより大きいチャンスを導くことができる。
【００６５】
前記探索鍵の質を改善するある方法は、活性化の時に近いいくつかの可能な探索鍵をテストし、所望のマッチング信号セグメントを見つけるために使用するのに最適なものだという意味において最もユニークだと思われる探索鍵を選択する。前記探索鍵が放送の無音部分においてトリガされる場合、前記探索鍵の質を改善する他の方法は、前記探索鍵の取得を前記無音部分の前又は後の瞬時に移動することである。これは、前記装置がより多くの情報を含む探索鍵を得ることを可能にする。
【００６６】
ある探索鍵をメディア信号の他のセクションと比較し、これらが同じソース材料の同じ部分からのものである見込みが、ある設定基準によって示されるように高い場合、前記識別プロセスの第２ステップを行うことができる。これが現実に正確なマッチである場合、前記信号が依然としてきわめて類似しており、したがって依然として同じソース材料からのものであると思われることを、双方のセクションにおいて前記マッチの前後にある時間移動し、新たな比較を行うことによって推定することができる。類似性が特定のレベルより低い前記セクションにおけるある点において、類似しているセクションの部分の終了点に達したと推定することができる。同様の方法において、他の終了点を探索することができる。
【００６７】
前記終了点の探索を、多くの方法において実行することができる。前記セクションを、許容可能だと考えられ、終了点であると決定する、より低い類似性レベルに達するまで、前記テストを前記セクションに沿って連続的に移動することによってテストすることができる。最新の比較点から離れた特定の時間にジャンプし、再びテストし、依然として十分に類似しているとップサイズを減らし、ジャンプ方向を逆にすることができるこの新たな点をテストし、ステップサイズを再び減らす。前記セクションがここで十分に類似していると考えられる場合、前記新たなステップ方向を変更し、前記セクションが十分類似していると考えられない場合、ステップ方向を変更しない。前記反復プロセスを、予め決められた最小ステップサイズに達するまで続け、これは終了点としてみなされる点である。他の終了点を同じ方法において得ることができる。
【００６８】
異なったメディアプレーヤから生じ、異なった時点において得られたかもしれないセクションを比較するため、特定の速度変化がこれらの間にあると考えられる。したがって、初期の比較ポイントからのセクションへある時間遠方にジャンプする場合、２つのセクション間の比較が、正確にこの新たな点において最も強い類似性を示すかもしれないと推定することはできない。前記セクションの一方においてこの点より前にある時間ジャンプし、この点から、理論的点後の十分により後の点まで比較を行い、最高の類似性が達成された場所に注意する。より数学的にあらわすと、ある選択において時間ｔＪＡＭＰジャンプし、他の選択においてｔＪＵＭＰ−Ｍジャンプし、ここでＭは他のセクションにおける多数の標本を示す。次に、より後のセクションにおけるｔＪＵＭＰ−Ｍの周囲の部分を、ｔＪＵＭＰの周囲の他のセクションの同じ長さの部分と比較する。次にＭを減少し、前記プロセスを、Ｍが特定の値、しばしば−Ｍに達するまで反復し、前記プロセスを中止する。
【００６９】
装置公差および記録の速度に影響を及ぼしうる含まれる他の変数についての推定を行うことによって、この点における類似性の程度が十分に高いならば、その点におけるセクションが依然として同じソース材料から生じたことを示すのに十分に近いと依然として許容されるｔＪＵＭＰにおける期待されるマッチ位置の周囲の期間を決定することができる。上記を、特定の点におけるセクションが同じソース材料から生じた可能性を増す他の方法を我々に与えるようにあらわすことができる。もちろん最初の方法は、ある方法による類似性の程度を計算することであり、その値がある設定レベルよりよい場合、正確なマッチだと考えられる。セクションがこの点における同じソース材料からのものであることをさらに保障する第２の方法は、実際の最高の類似性が達成されたときにおける論理的点にどのくらい近いかを示すことである。例えば、我々は、比較プロセスが期待される点の１０００標本前に開始し、この点の後１０００標本まで続き、正確なマッチが前記論理点の前後１０標本内に現れるに違いないことをより以前に決定されたことを仮定してもよい。ここで、すべての２０００の可能な比較を計算し、この点において最高値が得られることを示すことができる。
【００７０】
この値が前記理論点から１０標本以内である場合、この点におけるセクションが同じソース材料から生じた可能性が増加する。２つの無関係のセクションがこの２０標本領域内で最も高い類似性を示す可能性は、２０／２０００＝０．０１である。前記理論点の周囲の探索領域が長くなると、より多くのものが、制限内の最大の類似性の点を信頼することができることがわかる。
【００７１】
多くのステップをジャンプしており、設定制限内の十分な程度の類似性を見つけた後、更なるジャンプのために前記制限を狭くすることができる。これは、期待される点からのオフセットがステップからステップまで類似しているかもしれない事実により、期待されるオフセットが何であるかを決定されている場合、このオフセットの周囲のより狭い制限を設定することができる。装置公差と、セクションの記録速度に影響を及ぼしうる他の要因が、短い時間周期内で大きく変化することは考えられない。これらの２つの方法、類似性の程度を測定する方法と、時間において期待される点の周囲のある時間制限内で最高の類似性の点を許容するだけの方法とを、ある時間において一緒に又は一方のみを使用することができる。
【００７２】
以下の本発明のあるバージョンにおいて、前記方法は、一部又は全部において同じソース材料を検出したときの数をカウントするカウンタも含む。ある方法は、前記探索鍵の第２の例を識別したときの数もカウントしてもよい。このある用途は、ある歌がより多くの回数演奏されると、歌の最終的に得られた記録の質が高く、歌のほとんど全体が記録された見込みが高くなる。
【００７３】
本発明のあるバージョンにおいて、前記カウントを使用し、１つ又はそれ以上のメディアチャネルにおいて特定の時間周期中にどれくらい多くの回数あるソース材料が演奏されたかにしたがって配列されたソース材料リストを発生することもできる。ラジオに関して、前記方法を使用し、特定の又は複数のラジオ局において先週最も演奏された音楽のリストを形成することができ、前記音楽をどれくらい頻繁に演奏されたかにしたがってランク付けすることができる。
【００７４】
本発明のあるバージョンにおいて、前記方法は、ユーザの選択および好みに基づいてリストを発生してもよい。ユーザは、あるソース材料をこれが演奏されたとき認識し、前記装置を活性化し、前記ソース材料を聴取者の選択のリストに自動的に保存してもよい。これを、異なったソース材料スタイル又はユーザに関する１つ又は複数のリストとしてもよく、すなわち、ラジオに関して、例えば、ハードロックのリストと、ポップミュージックのリストと、前記装置の主なユーザの友人が形成した第３リストとしてもよい。
【００７５】
本発明のあるバージョンにおいて、ユーザは、メディアチャネルを分類し、同じフォーマットのメディアチャネルにおいて演奏されるソース材料が同じリスト又はライブラリに保存されるようにしてもよい。ラジオに関して、例えば、あるライブラリは、ユーザがその形式の音楽を演奏することを知っているラジオ局からのハードロックを含んでもよく、他のライブラリは、その形式のラジオ局からのソフトミュージックに関してもよい、等である。
【００７６】
前記装置は、本発明を実行するあるバージョンにおいて、あるソース材料が頻繁に演奏されない場合を識別し、このようなソース材料をリストから除去する。例えば、前記ソース材料が演奏される各々のときの間の時間周期が指定された時間を越える場合、前記ソース材料を、あまり人気がないとみなし、トップリストから除去してもよい。
【００７７】
以前示したように、前記方法は、コマーシャルのような特定の望ましくない信号成分を除去することができる。例えば、前記方法は、大部分のコマーシャルは所望のソース材料より短いため、３０秒又は１分のような特定の時間周期より短い共通セグメントを除去してもよい。前記装置は、望ましくない信号成分を認識し、これらを別個のリストに保存してもよい。
【００７８】
前記方法は、より長い時間周期に渡って同一であることが見つかった信号セグメントを除去してもよい。例えば、あるラジオ放送が５分以上１０分までの間他の放送と同一の場合、おそらく１曲ではなく、完全な番組の再放送であり、したがって、別々の歌を記録することを望むユーザの興味はない。これらの時間パラメータをユーザに調節可能とし、彼が前記装置尾ｗ使用して、別個のソース材料と、ソース材料の集合の双方を記録できるようにしてもよい。
【００７９】
本発明のあるバージョンにおいて、前記装置が、ユーザが露出されないことを望む材料のリストを発生できるようにしてもよい。これを、例えば、望ましくない材料が演奏された場合、ユーザが活性化ボタンを押すことによって行うことができる。ラジオの場合において、このリストは、コマーシャル、会話、ジングル等を含むことができる。これらの信号成分を望ましくないリストに記憶し、このリストを使用し、これらのセグメントを所望の材料のリストから遮断することができる。ユーザは、所望リストにおけるソース材料を望ましくないとマークし、これらがさらに演奏される又はユーザに与えられるのを防ぐこともできる。
【００８０】
本発明を実行するある方法において、ユーザを直接放送に曝さず、わずかに遅延したバージョンに曝し、前記装置が、任意の望ましくない信号成分をこれらがユーザに達する前に除去し、これらのギャップを消耗の内容で満たす時間を持つことができるようにする。これを、前記放送を望ましくない信号成分に関して自動的に探索し、望ましくない信号成分が検出された場合に遅延を変更し、これをジャンプすることによって行ってもよい。これは、例えば、より以前に記録された所望の材料から満たすのに十分に大きなギャップを遂に形成することができ、これらの演奏が終了した場合、ソースをより以前の番組に切り替えることができる。
【００８１】
前記装置は、ラジオ局のようなメディアチャネルを、特定の条件が満たされた場合、自動的に変更してもよい。例えば、前記装置は、５分ごと又は２４時間ごとのような特定の時間周期後にラジオ局を変更してもよい。新しい歌が特定の時間後に見つからなかった場合にも、ラジオ局を変更することができる。新たなメディアチャネルへの変更は、見つけることができるソース材料のピースの数を増加させることができる。前記装置をプログラムし、あるメディアチャネルにおいて、２０のような予め決められた数のソース材料を見つけ、次にメディアチャネルを変更し、第２のメディアチャネルにおいて、予め決められた数の異なったソース材料を見つけるようにしてもよい。前記装置は、前記装置が４８時間において新たなソース材料を見つけられなかった場合のように、前記装置が特定の時間周期後にどのような新たなソース材料を見つけることができない場合、メディアチャネルを変更してもよい。前記装置は、放送が何か調子が悪い場合のような、認識しうるメディア信号が見つからない場合、メディア信号を変更してもよい。
【００８２】
前記装置は、多くのメディアチャネルからの信号をバッファメモリに記憶してもよい。多くのメディアチャネルを探索することは、所望のソース材料全体、例えば歌全体を遂に得るチャンスを増すことができる。
【００８３】
本発明を使用するある方法において、前記装置は、前記反復プロセスを再開し、ソース材料のより高い質の記録を達成することができる。例えばラジオ放送から音楽を記録する場合、前記所望の歌の短すぎるピースが得られるかも知れず、又は、望むより低い質を有するかもしれない。前記装置、又は、活性化メンバを使用するユーザは、この場合において、すでに記録されたソース材料の共通セグメントから新たな探索鍵を得るプロセスを開始してもよく、これは、メモリ又は放送における所望のソース材料に関する新たな探索を導く。
【００８４】
本発明の他のバージョンにおいて、前記装置は、所望のソース材料に名づける外部システムと接続する。これを、前記装置によって、前記所望のソース材料の一部又は前記所望のソース材料からの探索鍵を前記外部装置に送信し、前記ソース材料を識別する再生を得ることによって行うことができる。前記放送をラジオ放送における音楽において使用する場合、前記装置は前記システムに接続し、記録された音楽のピースを識別に関して送る。前記識別システムは、音楽のタイトル、アーティスト又はグループを前記装置に送り返すことができる。これは、ユーザが音楽を聴くだけでなく、タイトルも得ることができ、どのようなアーティスト又はグループが演奏しているのかを知ることもできるようにする。この識別を、自動的に、又は、ユーザによってトリガすることによって行うことができる。
【００８５】
同じソース材料の同じ部分から記録されたメディアセクションの質、すなわち前記ソース材料への近さを、同じソース材料の２つ以上の記録を使用することによって改善することができる。前記装置が、例えば、同じソース材料を含む３つのメディア信号を見つけた場合、望ましくない信号成分を、望ましくない信号成分を有するセクションを、同一であり、したがって望ましくない信号成分が無いと思われる他の２つのメディア信号からの対応するセクションで置き換えることによって除去してもよい。特に、第１のメディア信号の特定のセクションが第２のメディア信号の同じセクションと低い類似性を有するが、第２セクションと第３セクションの間では高い類似性がある場合、前記方法を、前記第１メディア信号の前記セクションを、前記第２又は第３メディア信号の対応するセクションで置き換えるように設計してもよい。
【００８６】
前記探索鍵は、前記探索鍵が特定の予め決められた値の類似性より高いセグメントのみを識別するのと同様に動作してもよい。前記類似性の値を高すぎに設定した場合、同じソース材料から生じたセグメントを前記探索鍵によって捕らえそこなう危険性がある。前記類似性の値を低すぎに設定した場合、正確なソース材料からの不適当な信号セグメント、又は不完全に放送された信号セグメントを選択するかもしれない。
【００８７】
もちろん、前記装置を、音質を単に最高にする代わりに、等しい値の類似性を有するセグメントを選択し、特定の音セクションが極端にクリアで、他のセクションがそんなにクリアじゃなくなるのを防ぐように設定してもよい。すなわち、歌全体は、許容可能な小ささで、平等に分配された歪みレベルを有することができる。
【００８８】
メディア信号の質を増す本発明のあるバージョンにおいて使用するある方法は、同じソース材料からの時間整列された記録を標本ずつ一緒に加え、結果として生じた振幅値をこの追加プロセスに加わる記録の数で割ることである。所望の信号情報は、すべての記録において同じであるため、影響されない。ノイズ及び歪みのような望ましくない信号成分は、前記所望の信号情報と同様に影響を受けない。ノイズ及び他の同様の形式の望ましくない情報は、多かれ少なかれ事実上ランダムであると考えられ、したがって、同じ平均ノイズレベルを有する２つの信号を足し合わせた場合、平均ノイズレベルは２倍にならない。所望の信号部分の振幅を、振幅値をこのプロセスに加わる記録の数で割ることによって復元する場合、平均ノイズレベルは、元の記録の平均ノイズレベルより低下する。
【００８９】
同じソース材料の記録におけるノイズレベルが特定のレベルより異なる場合、最高の記録を選択し、記録を足し合わせることによって質を改善するようにしないのが実際にはよりよい。ノイズ以外の他の形式の望ましくない信号及び同様の信号も、この方法で減少させることができる。
【００９０】
同じソース材料の記録が２つのみあり、これらが質においてかなり異なる場合、これらの内のどちらが最適であるか、又は、これらが同じ質のものであるかを言うのは難しい。この状況の解決法は、前記記録を足し合わせ、結果として生じた振幅を２で割ることである。前記記録の一方が実質的に他方よりよいことがあり得、最適はこの記録を選ぶことであるが、できないなら、処理されたバージョンを最適な選択とする。
【００９１】
ソース材料のセクションがラジオ放送又は他の妨害されやすい放送チャネルから生じる場合、可能な質表示を、受信機における信号強度から得ることができる。より弱い受信は、一般に、よりノイジーであり歪む。受信信号の他のパラメータを測定し、得られた信号材料の質表示を与えるのに使用することもできる。
【００９２】
以下の本発明のあるバージョンにおいて、本発明の反復方法は、新たな妨害されていないソース材料セグメントを、メモリに記憶されたソース材料セグメントに加える。前記装置は、共に結合すべきである２つのセグメントを、前記２つのセグメントの類似性の数学的計算を導くことによってマッチさせ、例えば、第１セグメントの始めが第２セグメントの始めと正確にマッチし、結果として前記２つのセグメントが時間において正確に置かれるようにすることができる。前記装置は、異なった重なりと、類似性が最も高い場合とをテストしてもよく、前記装置は前記２つのセグメントを合体させ、ユーザが、第１セグメントを第２セグメントに加えたことことに気づかないようにする。
【００９３】
以下の本発明のあるバージョンにおいて、前記装置は、信号セグメントが逆相で放送されたかどうかを自動的にチェックする。逆相の信号セグメントは、同じソース材料の同じ部分から生じたとしても、反対の位相で演奏された信号セグメントと否定的な類似性または相関を有するかもしれない。前記装置は、前記探索鍵の肯定的及び否定的な類似性の双方をチェックし、逆相信号セグメントを使用できるようにしてもよい。以下の本発明のあるバージョンにおいて、前記装置が前記メディア信号の一方の位相の反転を検出した場合、前記装置は、これを、２つの前記メディア信号を１つに合体する前に、前記メディア信号の一方の位相を変更することによって自動的に調節してもよい。
【００９４】
１つに合体すべき２つのセクションは、整列されたこれらの標本化点を持たないかもしれず、結果として、合体した場合、最終的な合体されたセクションにおいて接点における不連続が存在するかもしれない。一緒に合体すべき２つのセクション間の移り変わりをできるだけ滑らかにするために、接点に近い制限された時間と共に徐々に、前記セクションの一方又は双方の信号を数学的に伸長又は圧縮し、前記２つのセクション間の合体が不連続なしに生じることができるようにしてもよい。この不連続問題を解決する他の方法は、移り変わりが不連続を示さないように前記セクションの一方又は双方の標本化点を数学的にシフトすることである。
【００９５】
メディア信号を、ラジオ放送、テレビジョン放送、コンピュータネットワークによる放送、コンピュータファイル、すでにファイルを記憶した装置におけるもの、等とすることができる。
【００９６】
メディアチャネルを、ラジオ及びテレビジョンネットワーク、携帯電話ネットワーク、コンピュータネットワーク、等とすることができる。
【００９７】
受信メンバを、ラジオ装置、テレビジョン装置、ＶＣＲ、パーソナルコンピュータ、携帯電話、又は、メディア信号を受信する他の装置とすることができる。
【００９８】
活性化メンバを、ボタン、てこ装置、コンピュータプログラム、アルゴリズム、ハンドル、又は同等のメンバとすることができる。音声制御、赤外線又はブルートゥース接続、無線接続、又はこれらの組み合わせとしてもよい。
【００９９】
上記メンバすべてを、使用してもよく、プログラムされ、自動化され、又は時間制御された活性化メンバとしてもよい。
【０１００】
放送における望ましくない信号成分を、ラジオ話し手、ＤＪ、ＶＪ、テレビ人、リーダか、ニュース、あるいは等価物からのスピーチとしてもよい。放送における望ましくない信号成分は、例えば、前記放送が弱いことによって、又は、合法が中断又は妨害されるなにか他の理由によっても生じるかもしれない。
【０１０１】
ソース材料を、音楽、映画、コマーシャル、ＴＶ番組、ニュース、スピーチ、サウンドエフェクト、フィルムエフェクト、等とすることができる。
【０１０２】
検出メンバを、ＬＰフィルタ、ＨＰフィルタ、ＢＰフィルタ、ＢＳフィルタ、又は、周波数フィルタ処理するアクティブ又はディジタルフィルタ構造、又は、コンピュータプログラム、プロセッサ、又はアルゴリズムによって形成することができる。
【０１０３】
反復メンバを、例えば、コンピュータプログラム又はアルゴリズムとしてもよい。
【０１０４】
前記最終的なメモリを、メディア信号プレーヤにおける内部メモリとしてもよい。前記最終的なメモリを、ＣＤ−Ｒ、ミニディスク、フロッピー（登録商標）ディスク、ハードディスクドライブ、カセットレコーダ、マルチメディアカード、コンパクトフラッシュ（登録商標）カード、又は、他の外部又は内部メモリ、又は上記の組み合わせとしてもよい。前記最終的なメモリを、外部又は内部メモリの一部、又は、バッファメモリの一部としてもよい。
【０１０５】
演奏メンバを、ＣＤプレーヤ、ミニディスクプレーヤ、カセットデッキ、ステレオ装置、ラジオ、テレビジョン、ＶＣＲ、ＭＰ３プレーヤ、ＰＣ、ＰＤＡ、又は、メディア演奏する任意の他の装置としてもよい。
【０１０６】
上述した本発明の目標を達成する上述した手順及び装置は、ソフトウェア及びハードウェアの双方、又は双方の組み合わせを含むことができる。
【０１０７】
本発明を好適な構成及び実施例に従って説明したが、これらに対する特定の代用及び変更を、請求項の精神及び範囲から逸脱することなく行ってもよいことを理解すべきである。
【図面の簡単な説明】
【０１０８】
【図１】例えばラジオチャネル上の同じ音楽と比較及びマッチングするための、メモリに記憶された音楽のセクション又はセクションの表現の探索鍵の形成に関する手順を示す。
【図２】記憶された探索鍵の使用による音楽の認識に関する手順の一例を示す。
【図３】より完全な音楽のピースを、探索鍵を例えばラジオチャネルによって放送された音楽のピースと連続的にマッチングすることによる、実質的に同一の音楽の検出、比較及び記憶の多数の反復によってどのように形成するかの一例を示す。
【図４】より多くの探索鍵の形成に関する手順を例証する。
【図５】第１探索鍵とのマッチング及び検出後の、追加の探索鍵の形成に関する手順の一例を示す。
【図１】
2005522057.tif 000003
【図２】
2005522057.tif 000004
【図３】
2005522057.tif 000005
【図４】
2005522057.tif 000006
【図５】
2005522057.tif 000007
【国際調査報告】
2005522057.tif 000008